(57)【要約】【課題】頭髪用化粧用具において、整髪力及び整髪性の持続力を向上させる。【解決手段】外表面に粘着層が設けられた細長い支持体（頭髪用化粧用具１）に整髪すべき毛髪４を巻きつけ、毛髪４が巻きつけられた支持体を任意の形状に塑性変形することにより髪型を所望の形に整える。【選択図】図４
2009050365.tif 000002
【特許請求の範囲】
【請求項１】
毛髪を巻きつけ可能な細長い支持体と、
毛髪を前記支持体に付着させるために前記支持体の外表面に設けられた粘着層とからなるものであることを特徴とする頭髪用化粧用具。
【請求項２】
前記支持体が、可逆変形可能で、かつ塑性変形性を有し、毛髪の屈曲荷重よりも大きい屈曲荷重を有するものであることを特徴とする請求項１に記載の頭髪用化粧用具。
【請求項３】
前記支持体が、所定の形状を保持し、毛髪の屈曲荷重よりも大きい屈曲荷重を有するものであることを特徴とする請求項１に記載の頭髪用化粧用具。
【請求項４】
前記粘着層が、洗髪時に毛髪を前記支持体から離脱させる程度に粘着性が低下するものであることを特徴とする請求項１〜３のいずれか１項に記載の頭髪用化粧用具。
【請求項５】
前記粘着層が、５０℃以上の熱により毛髪を前記支持体から離脱させる程度に粘着性が低下するものであることを特徴とする請求項１〜３のいずれか１項に記載の頭髪用化粧用具。
【請求項６】
前記支持体が、金属材料からなることを特徴とする請求項１〜５にいずれか１項に記載の頭髪用化粧用具。
【請求項７】
前記支持体が、樹脂材料からなることを特徴とする請求項１〜５のいずれか１項に記載の頭髪用化粧用具。
【請求項８】
前記樹脂材料が、塑性変形性ポリエチレン系樹脂であることを特徴とする請求項７に記載の頭髪用化粧用具。
【請求項９】
前記支持体の屈曲荷重が、０．０５〜７０Ｎであることを特徴とする請求項２〜８のいずれか１項に記載の頭髪用化粧用具。
【請求項１０】
前記支持体の屈曲荷重が、０．１〜２０Ｎであることを特徴とする請求項２〜８のいずれか１項に記載の頭髪用化粧用具。
【請求項１１】
前記支持体の屈曲荷重が、３±２Ｎであることを特徴とする請求項２〜８のいずれか１項に記載の頭髪用化粧用具。
【請求項１２】
前記支持体の直径又は最大厚み部の厚さが、０．１〜２．０ｍｍであることを特徴とする請求項１〜１１のいずれか１項に記載の頭髪用化粧用具。
【請求項１３】
前記支持体の直径又は最大厚み部の厚さが、０．１〜０．９ｍｍであることを特徴とする請求項１〜１１のいずれか１項に記載の頭髪用化粧用具。
【請求項１４】
前記支持体の直径又は最大厚み部の厚さが、０．５±０．２ｍｍであることを特徴とする請求項１〜１１のいずれか１項に記載の頭髪用化粧用具。
【請求項１５】
前記粘着層が、アクリル系粘着剤であることを特徴とする請求項１〜１４のいずれか１項に記載の頭髪用化粧用具。
【請求項１６】
前記粘着層が、０．００１〜０．１ｍｍの厚みを有するものであることを特徴とする請求項１〜１５のいずれか１項に記載の頭髪用化粧用具。
【請求項１７】
前記粘着層が、０．００５〜０．０５ｍｍの厚みを有するものであることを特徴とする請求項１〜１５のいずれか１項に記載の頭髪用化粧用具。
【請求項１８】
前記粘着層が、０．０１５±０．００５ｍｍの厚みを有するものであることを特徴とする請求項１〜１５のいずれか１項に記載の頭髪用化粧用具。
【請求項１９】
外表面に粘着層が設けられた細長い支持体に整髪すべき毛髪を巻きつけ、
該毛髪が巻きつけられた前記支持体を任意の形状に塑性変形することにより髪型を所望の形に整えることを特徴とする整髪方法。
【発明の詳細な説明】
【技術分野】
【０００１】
本発明は頭髪用化粧用具に関し、特に整髪力及び髪型の持続力に優れた頭髪用化粧用具及び該頭髪用化粧用具を使用する整髪方法に関するものである。
【背景技術】
【０００２】
従来の頭髪用化粧料の整髪力は、主に製剤に配合されている高分子ポリマーの乾燥被膜によって創出されているので、得られる整髪力は高く、得られた髪型は長時間持続するものであった。しかしながら、ここで得られた髪型から別の髪型に変更するには、水等の溶媒を髪に塗布し、乾燥被膜を再度溶解させて乾燥被膜を作り直す必要があり、日常生活では整髪のために水を携帯することは殆ど無いために、別の髪型に変更することは困難であった。また乾燥被膜は、物理的な変位に脆く、毛髪の屈曲等で一度乾燥被膜が破壊されると髪型を維持することができなくなり、さらに、これらの乾燥被膜は毛髪の自然な光沢とは異なる光沢特性を示すことから、見た目に自然な仕上がり感が得られないという問題があった。
【０００３】
これに対して、整髪用の粘度の高い油分や製剤中で半固形状のワックスを配合した整髪料では、毛髪の間にこれらの油分やワックスが入り込み、毛髪同士を粘着させることによって絡み付けるように整髪しているので、毛髪同士の絡み付け方を変更することにより何度でも髪型を変更することができる。しかしながら、これらの油分やワックスは使用感がべたべたしており、髪型を変更する度に手が汚れるという問題があった。
【０００４】
また整髪力は毛髪の剛性力よりも強いものではなく、毛束をまとめることによって髪型を作り上げる場合には、油分やワックスによって絡み付けられていた毛髪が毛束の剛性力によって外されてしまうことがあるため、得られた髪型を長時間持続させるのは困難であると共に髪型を作るための高い技術が必要となり、一般のユーザでは、好みの髪型を簡単に作り上げるのは困難であった。さらに油分やワックスを塗布した毛髪は、マットな質感になってしまうため、汚れたように感じてしまう場合があった。
【０００５】
そこで上記の問題点を改善すべく、水やエタノールに不溶でフイルム非形成性の架橋型ポリマー微粒子を含有することにより、架橋型ポリマー微粒子の粘着力によって髪型を整え、毛髪間を固めないが故に再整髪を可能にした毛髪化粧料や（特許文献１）、べたつきを改善するために、この毛髪化粧料にさらに室温で粘着性を有さない微粉末を含有させた毛髪化粧料（特許文献２）が提案されている。
【０００６】
またカードランに代表される加熱によりゲル化する高分子物質を含有することにより、毛髪の剛性力に負けない強くて柔軟な乾燥被膜を形成させ、毛髪が屈曲した際にも乾燥被膜が破壊せずに髪型を保持すると共に加熱によりゲル化することでべたつきを改善した整髪用化粧料が提案されている（特許文献３）。
【０００７】
一方、ヘアデザイナーによるファッションショー等で、デザイン性の高い髪型を形成する際に、毛髪の剛性力に負けない強度を有し、可逆的な変形が可能な針金に代表される支持体を用い、予め形状を整えた該支持体を髪の毛の中に入れ、支持体に髪の毛を巻きつけて、髪型を作ると同時もしくはその後に、支持体と髪の毛の集合体に対して、ヘアスプレー等の高分子ポリマーを含有した整髪剤を塗布して仕上げるという整髪方法が、習得技術として知られている。
【特許文献１】特開昭６４−２５７１３号公報
【特許文献２】特開２０００−２６２４６号公報
【特許文献３】特開２００２−１８７８２４号公報
【発明の開示】
【発明が解決しようとする課題】
【０００８】
しかしながら特許文献１の記載の毛髪化粧料では、粘着力を使用するという観点では、油分やワックス等の整髪料と同様に、整髪力や髪型の持続力では満足できない虞がある。また粘着性がべたつきと感じられる場合があるため、感触的に十分満足できない虞がある。
【０００９】
また特許文献２に記載の毛髪化粧料では、べたつきは改善できるものの、整髪力や髪型の持続力の向上を実現することは困難である。また別の微粉末が存在するため、粉末に依存した質感がでてしまう虞がある。
【００１０】
特許文献３に記載の整髪料用化粧料では、乾燥被膜が水への再溶解性がないため、水を使用しても髪型を変更することができない。また加熱工程が必要なためドライヤーの携帯が必要となり、日常生活での簡便性が低減してしまう。
【００１１】
また習得技術として知られている上記の整髪方法は、支持体に髪を巻きつけ、その上で固定させるので、ヘアデザイナーのように高度な技術を必要とし、一般のユーザが簡単に使用できるものではない。また固定に使用される整髪剤の乾燥被膜は不可逆的なものであることから、髪型を作り直した時点で乾燥被膜が壊れ、支持体から毛髪が離脱してしまう。また乾燥被膜の質感が、毛髪の質感とは異なるため不自然に見えてしまう。
【００１２】
本発明はかかる事情に鑑みてなされたものであり、髪型を所望の形に整えることができると共に整髪力及び髪型の持続力に優れた頭髪用化粧用具及び該頭髪用化粧用具を使用する整髪方法を提供することを目的とするものである。
【課題を解決するための手段】
【００１３】
本発明の頭髪用化粧用具は、毛髪を巻きつけ可能な細長い支持体と、
毛髪を前記支持体に付着させるために前記支持体の外表面に設けられた粘着層とからなるものであることを特徴とするものである。なお本発明において「細長い支持体」とは、例えば針金等のように、糸状、帯状、線状等の形状で、毛髪を巻きつけ可能な長さを有するものをいう。
【００１４】
本発明の頭髪用化粧用具は、前記支持体が、可逆変形可能で、かつ塑性変形性を有し、毛髪の屈曲荷重よりも大きい屈曲荷重を有するものであるか、又は、前記支持体が、所定の形状を保持し、毛髪の屈曲荷重よりも大きい屈曲荷重を有するものであることが好ましい。
【００１５】
なお本発明において「毛髪」は、一般的な人の毛髪であり、直径０．１ｍｍ程度のものを意味する。また「屈曲荷重」は、３点曲げ測定により求めるものとし、具体的には長さを５０ｍｍに切りそろえた支持体又は両端部を結束した７０本程度の毛髪を、２５ｍｍの間隔で固定できるＵ字型の受け治具に橋渡しの形で装着し、上部から中心部に向かって３点曲げの要領で、押し込み治具を装着させたデジタルフォースゲージ（株式会社イマダ社製）を一定の押し込み速度（１００ｍｍ／ｍｉｎ）で押し込んでいき、１０ｍｍ押し込みが達成された際にかかった最大荷重値を屈曲荷重とする。
【００１６】
また、「所定の形状」は、例えば緩やかなカーブやカール、いわゆるソバージュ等と称されるウェーブ等、ユーザが所望する髪型に対応する形状とする。
【００１７】
また本発明の頭髪用化粧用具は、前記粘着層が、洗髪時に毛髪を前記支持体から離脱させる程度に粘着性が低下するものであることが好ましい。
【００１８】
また本発明の頭髪用化粧用具は、前記粘着層が、５０℃以上の熱により毛髪を前記支持体から離脱させる程度に粘着性が低下するものであることが好ましい。
【００１９】
本発明の頭髪用化粧用具は、前記支持体が、金属材料又は樹脂材料からなることが好ましい。
【００２０】
また前記樹脂材料は、塑性変形性ポリエチレン系樹脂であることが好ましい。
【００２１】
なお本発明において支持体は、不可避不純物を含んでもよい。
【００２２】
本発明の頭髪用化粧用具は、前記支持体の屈曲荷重が、０．０５〜７０Ｎであることが好ましく、０．１〜２０Ｎであることがさらに好ましく、３±２Ｎであることがさらにより好ましい。
【００２３】
本発明の頭髪用化粧用具は、前記支持体の直径又は最大厚み部の厚さが、０．１〜２．０ｍｍであることが好ましく、０．１〜０．９ｍｍであることがさらに好ましく、０．５±０．２であることがさらにより好ましい。
【００２４】
また本発明の頭髪用化粧用具は、前記粘着層が、アクリル系粘着剤であることが好ましい。
【００２５】
本発明の頭髪用化粧用具は、前記粘着層が、０．００１〜０．１ｍｍであることが好ましく、０．００５〜０．０５ｍｍであることがさらに好ましく、０．０１５±０．００５ｍｍであることがさらにより好ましい。
【００２６】
本発明の整髪方法は、外表面に粘着層が設けられた細長い支持体に整髪すべき毛髪を巻きつけ、該毛髪が巻きつけられた前記支持体を任意の形状に塑性変形することにより髪型を所望の形に整えることを特徴とする。
【発明の効果】
【００２７】
本発明によれば、頭髪用化粧用具が毛髪を巻きつけ可能な細長い支持体と、毛髪を支持体に付着させるために支持体の外表面に設けられた粘着層とからなるものなので、外表面に粘着層が設けられた細長い支持体に整髪すべき毛髪を巻きつけて付着させ、毛髪が巻きつけられた支持体を任意の形状に塑性変形することにより髪型を所望の形に整えることができると共に、支持体が毛髪を保持することにより髪型の持続力を向上させることができる。さらに支持体の外周面に毛髪を巻きつけるので、目に見える最外部には毛髪のみが存在し、支持体が見えないことにより、髪型を自然な感じに見せることが可能となる。
【００２８】
また支持体が、可逆変形可能で、かつ塑性変形性を有し、毛髪の屈曲荷重よりも大きい屈曲荷重を有するものである場合には、毛髪が巻きつけられた支持体を任意の形状に変形することができるので髪型を自在に変更することができ、さらに毛髪の剛性力により支持体の形状が変わることがなく任意の形状を保持することができるので、髪型を所望の形に容易に整えることができ、その髪型を保持することができると共に、髪型を変更するときに、整髪剤や水分等を必要としないので、手洗いの必要性がなく利便性を向上させることができる。
【００２９】
また支持体が、所定の形状を保持し、毛髪の屈曲荷重よりも大きい屈曲荷重を有するものである場合には、予め緩やかなカール等のユーザが所望する形状にされた支持体に、毛髪を巻きつけることにより、髪型を所望の形に容易に整えることができ、毛髪の剛性力により支持体の形状が変わることがないので、整えた髪型を持続させることができる。
【００３０】
また、粘着層が、洗髪時に毛髪を支持体から離脱させる程度に粘着性が低下するものである場合には、洗髪することにより支持体から毛髪を容易に外すことができる。
【００３１】
また、粘着層が、５０℃以上の熱により毛髪を前記支持体から離脱させる程度に粘着性が低下するものである場合には、ドライヤー等の熱により支持体から毛髪を容易に外すことができる。
【発明を実施するための最良の形態】
【００３２】
以下、本発明にかかる一実施形態の頭髪用化粧用具について図面を参照して詳細に説明する。ここで図１に本実施形態の頭髪用化粧用具１の斜視図を示す。
【００３３】
本実施形態の頭髪用化粧用具１は、図１に示す如く、毛髪を巻きつけ可能で、断面が円形の細長い支持体２と、この支持体２の外表面に設けられ、毛髪を支持体２に付着させるための粘着層３とを備えている。
【００３４】
支持体２は、人の指の力又はこれに類する力により可逆変形可能で、かつ塑性変形性を有し、毛髪の屈曲荷重よりも大きい屈曲荷重を有している。ここで毛髪の屈曲荷重は、支持体２に巻きつけられる毛髪の量すなわち７０本程度を束ねた状態の毛髪を測定したものとし、具体的には０．０１Ｎとする。よって支持体２の屈曲荷重は、一般的な毛髪（直系０．１ｍｍ程度）の屈曲荷重よりも大きく、かつ人の指の力で変形が可能な屈曲荷重であることから０．０５〜７０Ｎの範囲とする。また支持体２の屈曲荷重は、人の指の力で曲げる等の変形が容易に可能であることから０．１〜２０Ｎであることが好ましく、女性等の比較的力の弱い人や、片手で変形が可能であることから３±２Ｎであることがさらに好ましい。なお本実施形態では３Ｎとする。
【００３５】
また支持体２は、樹脂材料からなり、具体的には塑性変形性ポリエチレン系樹脂により形成されている。なお具体的には塑性変形性ポリエチレン系樹脂として特許第３５８２８５４号の糸状又は帯状塑性変形性ポリエチレン材料を使用することができ、本実施形態では三井化学株式会社製の樹脂針金であるテクノロード（登録商標）を使用する。
【００３６】
このように支持体２を塑性変形性ポリエチレン系樹脂で形成することにより、金属性の針金よりも比較的軽量にすることができるとともに、ユーザに対する引っかき傷や突き刺し傷等の怪我を防止することができる。またポリエチレン系樹脂は、炭素と水素からなるポリオレフィンであるため、使用済の頭髪用化粧用具１を例えば焼却炉等で燃やした場合でも灰の発生が少なく、有毒ガスも発生しないので、環境の観点からも好ましいものである。
【００３７】
なお本実施形態では、上記のように支持体２を樹脂材料からなるものとしたが、本発明はこれに限られるものではなく、可逆変形可能で、かつ塑性変形性を有するものであれば例えば鉄や銅、アルミ等の金属材料からなる針金を使用してもよい。
【００３８】
また支持体２の直径は、大き過ぎると支持体２の外表面の面積が大きくなることにより、付着する粘着層３の表面積も大きくなるため、支持体２に付着する毛髪の付着量が多くなり、毛髪が付着した支持体２は重くなってしまうので、０．１〜２．０ｍｍの範囲で形成する。また人の指の力で変形可能でかつ、毛髪が巻きつけられたときに他の毛髪との一体感が付与できることから、直径は０．１〜０．９ｍｍであることが好ましく、人の指の力による変形が容易で、かつ毛髪を巻きつけることにより容易に支持体を隠すことができることから、直径は０．５±０．２ｍｍであることがより好ましい。
【００３９】
なお本実施形態の支持体２は、断面を円形としたが、本発明はこれに限られるものではなく、例えば断面を三角形や正方形、楕円形又は星型や櫛形等の表面に凹凸を持つ形状等にしてもよい。また支持体２を細長い帯状のものとしてもよい。この場合、支持体２の最大厚み部の厚さを上記直径と同様の寸法とすることができる。
【００４０】
また支持体２の全長は、例えば人の毛髪の長さに合わせて任意に変更することができる。
【００４１】
次に上記のように形成された支持体２の外表面に設けられる粘着層３について説明する。
【００４２】
粘着層３は、洗髪時に毛髪を支持体２から離脱させる程度に粘着性が低下するものであり、通常の生活環境下では粘着力が略不変、すなわち、例えば小雨等により毛髪の表面に水滴が付着する程度の少量の水分下では粘着力は低下せず、洗髪時等のように毛髪の表面が均一に濡れ、水滴が毛髪の表面だけでは保持しきれずに、滴り落ちるような多量の水分下において粘着力が低下するものである。
【００４３】
粘着層３は、具体的には、例えば紙ラベルや湿布等の裏面に粘着性を付与するために使用されるアクリル系粘着剤を使用することができ、本実施形態では、日本エヌエスシー株式会社製のアクリル系エマルジョンからなる接着剤のヨドゾール（登録商標）２Ｈ６０１を使用する。
【００４４】
また粘着層３は、洗髪時であっても支持体２から離脱しない粘着性を有すると共に毛髪を巻きつける際の操作性すなわち毛髪への付着力及び指への付着力の観点から支持体２の外表面からの最大厚みが０．００１〜０．１ｍｍで形成されており、毛髪への付着力が良いことから好ましくは０．００５〜０．０５ｍｍ、毛髪への付着力がより良好であることからさらに好ましくは０．０１５±０．００５ｍｍで形成されている。
【００４５】
なお粘着層３の厚さは、粘着層３の外表面つまり支持体２の径の大きさが大きい程、毛髪と粘着層３とが接触する面積が大きくなり粘着力が増加するので、支持体２の直径と粘着層３の厚さとの比が所望する値となるように支持体２の直径及び粘着層３の厚さを決定してもよい。
【００４６】
なお本実施形態の粘着層３は、洗髪時に粘着性が低下するものとしたが、本発明はこれに限られるものではなく、例えばドライヤー等の熱（５０℃程度）により粘着性が低下するものであってもよい。具体的にはランデック社製のインテリマー（登録商標）等を使用することができる。
【００４７】
このように構成される頭髪用化粧用具１は、支持体２を、粘着層３となる材料の溶液に浸した後で引き上げて乾燥させ、支持体２の外表面に粘着層３を形成することにより製造することができる。
【００４８】
＜実施例＞
支持体２として直径０．６ｍｍ、全長１００ｍｍのテクノロート（登録商標）を、濃度４０％のヨドゾール（登録商標）２Ｈ６０１の溶液に浸した後で、引き上げて乾燥させ、厚みが０．０１ｍｍのヨドゾール（登録商標）からなる粘着層３を形成することにより頭髪用化粧用具１を製造した。
【００４９】
次に上記のように構成された頭髪用化粧用具１を使用して髪型を整える整髪方法について説明する。ここで図２に図１の頭髪用化粧用具１の使用方法を説明する図、図３に図１の頭髪用化粧用具１の形状の一例、図４に図１の頭髪用化粧用具１を使用した髪型の一例を示す。なお頭髪用化粧用具１は、整髪すべき毛髪を有する本人の他、例えば美容師等の本人以外の人物も使用することが可能である。
【００５０】
先ず頭髪用化粧用具１を操作するユーザは、図２に示す、指先でつかめる程度の束にした整髪すべき毛髪４を頭髪用化粧用具１の長手方向に沿って、らせん状に巻きつけていく。このときユーザは、巻きつけた毛髪４によって頭髪用化粧用具１が略見えなくなるように頭髪用化粧用具１を毛髪４で覆うようにする。
【００５１】
なお頭髪用化粧用具１は上述したように支持体２の外表面に粘着層３が設けられたものであるため、この粘着層３と毛髪４とが接触して毛髪４は支持体２に付着する。
【００５２】
そして次にユーザは毛髪４が巻きつけられた支持体２を、例えば図３（ａ）に示すように曲げたり、図３（ｂ）に示すようにカール状にしたりして、任意の形状に塑性変形することにより整髪すべき毛髪４を有する人物の髪型をユーザが所望する形に整える。
【００５３】
こうすることにより例えば図４（ａ）に示す如く、毛髪４の先端を重力に逆らうようにして顔から離すことにより浮遊感を演出した髪型にすることができる。また図４（ｂ）に示す如く、例えば前髪の毛髪４が目にかからないように緩やかなカーブを形成することにより前髪を整えることもできる。
【００５４】
このとき支持体２は、塑性変形性を有し、かつ毛髪の屈曲荷重よりも大きい屈曲荷重を有するので、毛髪４の剛性力により支持体２の形状が変わることがなく任意の形状を保持することができて、毛髪４を容易に所望の形にすることができるので髪型を所望の形に整えることができる。また支持体２が人の指の力等により可逆変形可能であることにより、髪型を自在に変更することができ、髪型を変更するときに、整髪剤や水分等を必要としないので、手洗いの必要性がなく利便性がよい。
【００５５】
そして頭髪用化粧用具１は、洗髪時に粘着層３の粘着性が低下するので、洗髪をするだけで頭髪用化粧用具１を毛髪４から容易に離脱させることができる。このようにして本実施形態の頭髪用化粧用具１は使用される。
【００５６】
このように本実施形態の頭髪用化粧用具１によれば、毛髪４を巻きつけ可能な細長い支持体２と、毛髪４を支持体２に付着させるために支持体２の外表面に設けられた粘着層３とからなるものなので、外表面に粘着層３が設けられた細長い支持体２に整髪すべき毛髪４を巻きつけて付着させ、毛髪４が巻きつけられた支持体２を任意の形状に塑性変形することにより髪型を所望の形に整えることができると共に、支持体２が毛髪４を保持することにより髪型の持続力を向上させることができる。さらに支持体２の外周面に毛髪４を巻きつけるので、目に見える最外部には毛髪４のみが存在し、支持体２が見えないことにより、髪型を自然な感じに見せることが可能となる。
【００５７】
また支持体２が、可逆変形可能で、かつ塑性変形性を有し、毛髪４の屈曲荷重よりも大きい屈曲荷重を有するものなので、毛髪４が巻きつけられた支持体２を任意の形状に変形することができて髪型を自在に変更することができ、さらに毛髪４の剛性力により支持体２の形状が変わることがなく任意の形状を保持することができるので、髪型を所望の形に容易に整えることができ、その髪型を保持することができると共に、髪型を変更するときに、整髪剤や水分等を必要としないので、手洗いの必要性がなく利便性を向上させることができる。
【００５８】
また、粘着層３が、洗髪時に毛髪４を支持体２から離脱させる程度に粘着性が低下するので、洗髪することにより支持体２から毛髪４を容易に外すことができる。
【００５９】
なお上記実施形態の頭髪用化粧用具１は、支持体２が可逆変形可能で、かつ塑性変形性を有するものとしたが本発明はこれに限られるものはなく、予め所定の形状、例えば緩やかなカーブやカール、いわゆるソバージュ等と称されるウェーブ等、ユーザが所望する髪型に対応する形状を保持した支持体であってもよい。この場合、所望の形状を保持した支持体に毛髪を巻きつけて付着させることにより、上記実施形態と同様に、髪型を所望の形に整えることができる。
【００６０】
本発明の頭髪用化粧用具は、上述した実施形態に限られるものではなく、本発明の趣旨を逸脱しない範囲において適宜変更可能である。
【図面の簡単な説明】
【００６１】
【図１】頭髪用化粧用具の斜視図
【図２】図１の頭髪用化粧用具の使用方法を説明する図
【図３】図１の頭髪用化粧用具の形状の一例を示す図
【図４】図１の頭髪用化粧用具を使用した髪型を示す図
【符号の説明】
【００６２】
１      頭髪用化粧用具
２      支持体
３      粘着層
４      毛髪
【図１】
2009050365.tif 000003
【図２】
2009050365.tif 000004
【図３】
2009050365.tif 000005
【図４】
2009050365.tif 000006